(57)【要約】【課題】耕耘作業時において、耕耘深さが変化したことによって、リヤカバーが上下に回動しても、その都度、作業者がリヤロータリカバーの回動位置を調節しなくても、ロータリカバー内の泥土の飛散を防ぐことができるロータリ耕耘機のカバー装置を提供する。【解決手段】耕耘爪を覆うロータリカバー１３と、圃場面と当接し得るリヤカバー１４と、リヤカバー１４とロータリカバー１３とを覆うリヤサイドカバー１５と、を備えたロータリ耕耘機のカバー装置１８において、リヤサイドカバー１５を、ロータリカバー側板１３ｂに回動自在に支持させると共に、リヤサイドカバー１５を、リヤカバーの回動に連動して、その底面が圃場面に接地又は近接するように回動させる連動機構１６を備える。【選択図】図２
2012200224.tif 000002
【特許請求の範囲】
【請求項１】
耕耘爪と、該耕耘爪の上方を覆う天板と前記耕耘爪の側方を覆う側板とを有するロータリカバーと、該ロータリカバーの後部に回動自在で取付けられ、その下端部が前記耕耘爪によって耕耘された圃場面と当接し得るリヤカバーと、該リヤカバーと前記ロータリカバーの側板との間を前記ロータリカバーの側方側から覆うリヤサイドカバーと、を備えたロータリ耕耘機のカバー装置において、
前記リヤサイドカバーは、前記ロータリカバーの側板に回動自在に支持され、
前記リヤサイドカバーを、前記リヤカバーの回動に連動して、その底面が圃場面に接地乃至は近接するように回動させる連動機構を備えた、
ことを特徴とするロータリ耕耘機のカバー装置。
【発明の詳細な説明】
【技術分野】
【０００１】
本発明は圃場面を耕耘するためのロータリ耕耘機のカバー装置に関する。
【背景技術】
【０００２】
一般に、作業車両の機体後方に昇降装置を介して連結されるロータリ耕耘機には、耕耘爪を覆うロータリカバーと、該ロータリカバーの後方に回動自在で取付けられたリヤカバーと、を有して構成されるカバー装置が取付けられていることが知られており、実際の耕耘作業は、ロータリカバーに覆われた耕耘爪で圃場面を耕耘すると共に、圃場面と当接したリヤカバーの下端部が耕耘後の泥土を均平にしながら行われる。
【０００３】
このように、耕耘作業においてリヤカバーの下端部と圃場面とが当接してリヤカバーが回動すると、ロータリカバーの側板とリヤカバーとの間に空間ができてしまい、この空間からロータリカバー内の耕耘された泥土がロータリカバーの側方へと飛散してしまっていた。
【０００４】
そこで従来、ロータリカバーの側方にロータリカバーの側方とリヤカバーとを覆う、リヤサイドカバーを取付け、上記ロータリカバーの側方とリヤカバーとの空間を覆うことでロータリカバー内の泥土の飛散を防ぐロータリ耕耘機のカバー装置が案出されている（例えば、特許文献１参照）。
【先行技術文献】
【特許文献】
【０００５】
【特許文献１】実開昭５８−１００５０３号公報
【発明の概要】
【発明が解決しようとする課題】
【０００６】
しかしながら、上記特許文献１記載のロータリ耕耘機のカバー装置におけるリヤサイドカバーは、固定部材であるボルトで固定されてロータリカバーの側板に取付けられていたため、作業中、耕耘爪の耕耘深さの変化によって、リヤカバーが回動してロータリカバーの側板とリヤカバーとの空間が大きくなった場合には、その都度、その空間を覆うために作業者が、ボルトを緩めてリヤサイドカバーの位置を変える必要があったため、作業効率の低下を招いていた。
【０００７】
そこで本発明は、リヤカバーの回動に連動してリヤサイドカバーを回動させることで、耕耘深さの変化によってリヤカバーが回動しても、その都度、作業者がリヤサイドカバーの位置を調節することなく、ロータリカバー内からの泥土の飛散を防ぐことができるロータリ耕耘機のカバー装置の提供を目的とする。
【課題を解決するための手段】
【０００８】
耕耘爪（１９）と、該耕耘爪（１９）の上方を覆う天板（１３ａ）と前記耕耘爪（１９）の側方を覆う側板（１３ｂ）とを有するロータリカバー（１３）と、該ロータリカバー（１３）の後部に回動自在で取付けられ、その下端部が前記耕耘爪（１９）によって耕耘された圃場面と当接し得るリヤカバー（１４）と、該リヤカバー（１４）と前記ロータリカバーの側板（１３ｂ）との間を前記ロータリカバー（１３）の側方側から覆うリヤサイドカバー（１５）と、を備えたロータリ耕耘機のカバー装置（１８）において、
前記リヤサイドカバー（１５）は、前記ロータリカバー側板（１３ｂ）に回動自在に支持され、
前記リヤサイドカバー（１５）を、前記リヤカバー（１４）の回動に連動して、その底面（１５ｄ）が圃場面に接地乃至は近接するように回動させる連動機構（１６）を備えた、ことにある。
【０００９】
なお、上記括弧内の符号等は図面を参照するためのものであって、本発明を何ら限定するものではない。
【発明の効果】
【００１０】
請求項１に係る発明によると、ロータリカバーとリヤカバーとの間を側方から覆うリヤサイドカバーを、連動機構によって、リヤカバーの回動と共にその底面が圃場面と接触するように回動させることによって、耕耘作業時に耕耘深さが変化してリヤカバーが回動したとしても、作業者がリヤサイドカバーの回動位置を調節することなく、ロータリカバーとリヤカバーとの間から泥土の飛散を防止することができる。
【図面の簡単な説明】
【００１１】
【図１】本発明に係るロータリ耕耘機のカバー装置を取付けたロータリ耕耘機を牽引車両に連結した時の側面図。
【図２】本発明に係るロータリ耕耘機のカバー装置の側面図。
【図３】本発明に係るロータリ耕耘機のカバー装置の平面図。
【図４】（Ａ）は本発明に係るロータリ耕耘機のカバー装置の拡大平面図、（Ｂ）はリヤサイドカバーとロータリカバーの側板との連結部の断面図、（Ｃ）はリヤサイドカバーとリヤカバーの連結部の断面図。
【図５】本発明に係るロータリ耕耘機のカバー装置の側面図。
【図６】耕耘作業時における本発明に係るロータリ耕耘機のカバー装置を取付けたロータリ耕耘機の側面図。
【図７】耕耘作業時における本発明に係るロータリ耕耘機のカバー装置を取付けたロータリ耕耘機の側面図。
【図８】耕耘作業時における本発明に係るロータリ耕耘機のカバー装置を取付けたロータリ耕耘機の側面図。
【図９】リヤサイドカバーとリヤカバーとの連結部の断面図。
【発明を実施するための形態】
【００１２】
以下、図面に基づいて本発明の実施の形態に係るロータリ耕耘機のカバー装置について説明する。図１に示すように本発明に係るロータリ耕耘機のカバー装置が装着されたロータリ耕耘装置１（以下、単にロータリ耕耘装置という。）は、２本のローワリンク５と１本のトップリンク６を有する３点リンク装置３を介して牽引車両であるトラクタ２の機体後部に連結されている。そして、２本のローワリンク５は、リフトロッド７を介して、リフトアーム９に連結されており、トップリンク６は、トラクタ２の機体に設けられたブラケット１０に連結されている。また、ローワリンク５及びトップリンク６のロータリ側は、ヒッチ８に連結されている。左右のリフトロッド７の一方は、図示はしてはいないが、油圧シリンダが介在しており、該油圧シリンダの伸縮によって、トラクタ２に対してロータリ耕耘装置１を揺動自在に制御している。
【００１３】
ロータリ耕耘装置１は、後に詳しく説明するロータリカバー１３、リヤカバー１４及びリヤサイドカバー１５などから構成されるロータリ耕耘機のカバー装置１８に覆われて、圃場を耕耘するための耕耘爪１９が耕耘軸１７に回転自在で支持されている。そして耕耘軸１７は、チェーンケース２０内のチェーンを介して伝達されるトラクタ２のＰＴＯ軸からの動力によって回転させられると共に、耕耘爪１９が回転することで耕耘作業が行われる。また、ロータリ耕耘装置１の機体から後方に延びるアーム２１を介してツールバー２２が配置されており、ツールバー２２はハンドル２３によって高さ調節自在となっている。
【００１４】
ついで、図２乃至図９に基づきロータリ耕耘装置のカバー装置１８について詳しく説明する。図２に示すように、ロータリ耕耘装置のカバー装置１８は、主にロータリカバー１３とリヤカバー１４とリヤサイドカバー１５から構成されると共に、リヤカバー１４の回動に連動してリヤサイドカバー１５が回動するという連動機構１６を有して構成されている。
【００１５】
まず、耕耘爪を覆うロータリカバー１３の構成について説明する。ロータリカバー１３は、主に耕耘爪１９の上方を覆う天板１３ａと耕耘爪１９の左右の側方を覆う側板１３ｂとから構成されている。天板１３ａは側面視円弧形状に形成されており、側板１３ｂは、略矩形形状で形成されている。
【００１６】
そして、側板１３ｂの上辺は天板１３ａの形状に合わせて円弧形状に形成されていると共に、側板１３ｂの底辺は側板１３ｂと耕耘軸とを螺合させるため、底辺の略中央が略半円形状に切り欠いて形成されている。また、円弧形状に形成された側板１３ｂの上辺一端部側には突出部１３ｃが形成されており、その突出部１３ｃにリヤカバー１４を連結するための連結部１３ｄが形成されている。更に、ロータリカバーの側板１３ｂには、後述するリヤサイドカバー１５を連結部材３０で連結するための連結孔１３ｅ，１３ｆがそれぞれ形成されている（図４（Ａ）及び図４（Ｂ）参照）。
【００１７】
ついで、耕耘爪１９の後方を覆うと共に、下端部を圃場面に当接させて耕耘された圃場面を均平にするリヤカバー１４の構成について説明する。リヤカバー１４の一端部は、ロータリカバーの側板１３ｂの突出部１３ｃに形成された連結部１３ｄへ回動自在に連結されていると共に、リヤカバー１４自体は、略中央から圃場面に当接する端部までが、湾曲されて側面視略へ字形状に形成されている。
【００１８】
また、圃場面に当接するリヤカバーの下方端の内側には、圃場面と接地する内面板１４ａが取付けられている。また、リヤカバーの側方には、後述するリヤサイドカバー１５を連結部材３２でリヤカバー１４に連結させるための連結孔１４ｃが形成された（図４（Ｃ）参照）側板１４ｂが取付けられている。
【００１９】
ついで、ロータリカバー１３内から泥土の飛散を防止するためのリヤサイドカバー１５の構成について説明する。リヤサイドカバー１５はロータリカバーの左右の側板１３ｂの側方側にそれぞれ取付けられており、角部に丸みを帯びた略矩形形状のプレートから構成されている。リヤサイドカバー１５の底辺は圃場面と接地して滑走することから、滑走をし易くするために両角部がそれぞれ円弧形状に形成されていると共に、リヤサイドカバー１５の両側辺は、それぞれ凹凸に湾曲されて形成されている。
【００２０】
そして、側辺が凹むように湾曲されて形成されたリヤサイドカバー１５の前方側端部の下側には、ロータリカバーの側板１３ｂにリヤサイドカバー１５を、連結部材３０を介して回動自在に連結する連結孔１５ａが形成されており（図４（Ａ）及び図４（Ｂ）参照）、上側には、リヤサイドカバー１５をロータリカバーの側板１３ｂに連結部材３０で連結すると共に、リヤサイドカバー１５の回動範囲を規制するための第１ガイド孔１５ｂが、湾曲した長孔で形成されている。また、第１ガイド孔１５ｂと並んで、リヤサイドカバー１５をリヤカバー１４へ連結部材３２で連結する共に、リヤサイドカバー１５の回動をガイドする第２ガイド孔１５ｃが、耕耘深さが変化してリヤカバーが回動してもリヤサイドカバーを圃場面に接地乃至は近接させておくために、略矩形形状の長孔で耕耘作業時に圃場面と略平行となるように形成されている。
【００２１】
図３は本発明に係るロータリ耕耘機のカバー装置の平面図であり、ロータリカバーの天板１３ａ及びリヤカバー１４の上面外側の左右の２箇所には、それぞれブラケット２５，２６が設けられている。そして、リヤカバー１４に設けられたブラケット２６に回動自在に支持される共に、ロータリカバーの天板１３ａに設けられたブラケット２５に摺動自在で支持されてロッド２７が配置されている。図示はしないが、ロッド２７にはスプリングが配設されており、そのスプリングによってリヤカバー１４を圃場面に向けて押圧するように付勢している。
【００２２】
ついで、ロータリカバーの側板１３ｂとリヤサイドカバー１５との連結部について説明する。図４（Ａ）に示すように、リヤサイドカバー１５は連結部材３０を介してロータリカバー１３の側板１３ｂに回動自在に連結されている。
【００２３】
図４（Ｂ）に示すように、リヤサイドカバー１５に形成された連結孔１５ａには、リング形状のカラー３１が嵌め込まれている。そして、連結部材である六角ボルト３０ａがカラー３１及びロータリカバーの側板１３ｂに形成された連結孔１３ｅを貫通しているのと共に、その先端部をロータリカバーの側板１３ｂの内側に固着されたナット３０ｂと螺合させて、リヤサイドカバー１５はロータリカバーの側板に連結されている。
【００２４】
即ち、六角ボルト３０ａがナット３０ｂに螺合されることで、ロータリカバーの側板１３ｂ及びカラー３１は、六角ボルト３０ａとナット３０ｂとで固定されるが、リヤサイドカバー１５の厚さは、カラー３１の厚さより薄いため、リヤサイドカバー１５自体は六角ボルト３０ａとナット３０ｂによって締め付けられることはないので、リヤサイドカバー１５の連結孔１５ａに嵌め込まれたカラー３１を軸にして、回動自在に連結される構成となっている。
【００２５】
そして、リヤサイドカバー１５の回動範囲を規制するため、リヤサイドカバー１５に設けられた第１ガイド孔１５ｂにも、カラー３１が嵌め込まれており、六角ボルト３０ａがカラー３１及びロータリカバーの側板に形成された連結孔１３ｆを貫通しているのと共に、その先端部をロータリカバーの側板１３ｂの内側に固着されたナット３０ｂに螺合させて、リヤサイドカバー１５をロータリカバーの側板１３ｂに連結している。上述と同様に、リヤサイドカバー１５は六角ボルト３０ａとナット３０ｂに締め付けられず、カラー３１を貫通した六角ボルトを第１ガイド孔内で滑動させることで、リヤサイドカバー１５が回動する構成となっている。
【００２６】
ついで、本発明に係るロータリ耕耘機のカバー装置の連動機構１６について、詳しく説明する。図４（Ａ）に示すように、リヤサイドカバー１５は連結部材３２を介してリヤカバーの側板１４ｂに連結されている。
【００２７】
図４（Ｃ）に示すように、リヤサイドカバー１５に形成された第２ガイド孔１５ｃにはリング形状のカラー３３が嵌め込まれている。段付ボルト３２ａがそのカラー３３及びリヤカバーの側板１４ｂに形成された連結孔１４ｃを貫通し、その先端部がナット３２ｂに螺合されて、リヤサイドカバー１５はリヤカバー１４に連結されている。
【００２８】
そして、リヤカバーの側板１４ｂとカラー３３は、段付ボルト３２ａとナット３２ｂの螺合によって固定されるが、リヤサイドカバー１５の厚さは、カラー３３の厚さよりも薄いために、リヤサイドカバー１５自体は段付ボルト３２ａとナット３２ｂに締め付けられて固定されないため、リヤカバー１４が回動するとそれに連動してカラー３３を貫通した段付ボルト３２ａが第２ガイド孔内を滑動すると共に、リヤサイドカバー１５がリヤカバー１４の回動に連動して回動する構成となっている。
【００２９】
ついで、図５乃至図８に基づいて本発明に係るロータリ耕耘機のカバー装置の連動機構１６の作用について詳しく説明する。図５は本発明に係るロータリ耕耘機のカバー装置の連動機構１６の作用によってリヤカバー１４の回動に連動してリヤサイドカバー１５が回動した状態を示した図であり、図６，図７，及び図８は実際の耕耘作業時におけるロータリ耕耘装置１を示した図である。
【００３０】
図６及び図７に示すように、実際の耕耘作業においては、ロータリカバー内の耕耘爪１９を圃場面に入れて耕耘爪１９を回転させながら圃場を耕耘する。その際、リヤカバー１４は圃場面と当接して耕耘された泥土を均平しながら滑走する。また、ロータリカバー１３内から耕耘された泥土の飛散を防ぐため、リヤサイドカバーの底面１５ｄを圃場面と接地させ、又は、ロータリカバー内から泥土が飛散を防ぐことができるまで、圃場面に近接させて耕耘作業が行われる。
【００３１】
そして、耕耘作業中に圃場面を耕耘する耕耘爪１９が圃場に深く入り込むと、同時にリヤカバー１４が上方に向かって回動する。すると図８に示すように、第２ガイド孔１５ｃに嵌め込まれたカラー３３を貫通した段付ボルト３２ａが、リヤカバー１４の回動に連動して第２ガイド孔１５ｃ内を滑動すると共に、リヤサイドカバー１５は、リヤサイドカバー１５の連結孔１５ａに嵌め込まれたカラー３１を軸にして上方に回動する。
【００３２】
反対に、耕耘爪が圃場の深い位置から浅い位置へ変化した場合には、リヤカバー１４が下方に向かって回動する。すると、第２ガイド孔１５ｃに嵌め込まれたカラー３３を貫通した段付ボルト３２ａが、リヤカバー１４の回動に連動して第２ガイド孔１５ｃ内を滑動すると共に、リヤサイドカバー１５は、リヤサイドカバー１５の連結孔１５ａに嵌め込まれたカラー３１を軸にして下方に回動する。
【００３３】
上述のように、本発明に係るロータリ耕耘機のカバー装置１８によると、ロータリカバー１３とリヤカバー１４との間を側方から覆うリヤサイドカバー１５を、連動機構１６によって、リヤカバー１４の回動と共にその底面１５ｄが圃場面と接地乃至は近接するように回動させることによって、耕耘作業時に耕耘深さが変化してリヤカバー１４が回動したとしても、作業者がリヤサイドカバー１５の回動位置を調節することなく、ロータリカバー１３とリヤカバー１４との間から泥土の飛散を防止することができる。
【００３４】
また、耕耘深さの変化によってリヤカバー１４が回動したとしても連動機構１６によって、耕耘作業時は、常にリヤサイドカバーの底面１５ｄを圃場面と接地させ、又は、ロータリカバー１３内から泥土の飛散を防ぐことができるまで圃場面に近接させておくことができるため、ロータリカバー１３内から耕耘された泥土の飛散を防ぐと共に、ロータリカバー１３内の泥土の減少を防ぐことができる。これにより、圃場面の均平性の向上を図ることができる。
【００３５】
また、リヤカバー１４に連結されるリヤサイドカバー１５の重量を重くすることで、圃場面に大きな圧力を掛けることができるため均平性をよくすることができると共に、リヤカバー１４自体を軽量化することもできる。
【００３６】
更に、ロータリカバー１３内を掃除する際に、リヤカバー１４を上方に回動すると、リヤサイドカバー１５も上方に回動するので効率よくロータリカバー１３内を掃除することができる。
【００３７】
なお、本実施形態では、リヤサイドカバー１５に形成された第２ガイド孔１５ｃにカラー３３を嵌め込み、段付ボルト３２ａでそのカラー３３及びリヤカバーの側板１４ｂに形成された連結孔１４ｃを貫通すると共に、その先端部をナット３１ａに螺合させて、回動自在でリヤサイドカバー１５をリヤカバー１４に連結する構成としたが、これに限らず、図９に示すように、段付ボルト３２ａの代わりに六角ボルト３０ａで連結すると共に、六角ボルト３０ａとリヤサイドカバー１５との間にワッシャー３５を挟んで連結することでリヤサイドカバーを任意の位置で固定できるように構成してもよい。
【００３８】
また、本実施形態において、リヤサイドカバー１５とロータリカバーの側板１３ｂとの連結は、リヤサイドカバー１５を回動自在に連結するための連結孔１５ａとリヤサイドカバー１５の回動を規制するガイド孔１５ｂの２箇所で連結されているが、これに限らず、例えば、リヤサイドカバー１５を回動自在に連結するための連結孔１５ａの１箇所だけでロータリカバーの側板１３ｂに連結される構成でもよい。
【００３９】
更に、上述の実施の形態は、トラクタなどの作業車両に牽引され耕耘作業を行うロータリ耕耘機を例として説明したが、これに限らず、例えば、リアロータリ式歩行型管理機などにも当然に適用可能である。
【符号の説明】
【００４０】
１３ａ  ロータリカバー天板
１３ｂ  ロータリカバー側板
１４    リヤカバー
１５    リヤサイドカバー
１５ｄ  底面（リアサイドカバーの底面）
１６    連動機構
１８    ロータリ耕耘機のカバー装置
１９    耕耘爪
【図１】
2012200224.tif 000003
【図２】
2012200224.tif 000004
【図３】
2012200224.tif 000005
【図４】
2012200224.tif 000006
【図５】
2012200224.tif 000007
【図６】
2012200224.tif 000008
【図７】
2012200224.tif 000009
【図８】
2012200224.tif 000010
【図９】
2012200224.tif 000011